(57)【要約】【課題】表示装置に形成された開口部が目立つことを抑制する。【解決手段】スクリーン（１０）に対向し、スクリーン（１０）を透過した外部からの光を透過する開口部（７０）が形成された表示素子（２０）を含み、電子機器（１００）に対して情報の入出力を行うデバイス（４０）が、開口部（７０）透過した光を受光できるよう、表示素子（２０）に取り付けられた固定部材（３０）を介して、表示素子（２０）に固定されている。【選択図】図１
2020025191.tif 000002
【特許請求の範囲】
【請求項１】
電子機器に備えられた表示装置であって、
光を透過するスクリーンに対向し、上記スクリーンを透過した外部からの光を透過する開口部が少なくとも１つ形成された表示素子を含み、
上記電子機器に対して情報の入出力を行うデバイスが上記開口部を透過した光を受光できるよう、上記表示素子に取り付けられた固定部材を介して、上記デバイスが上記表示素子に固定されていることを特徴とする表示装置。
【請求項２】
上記表示装置に、上記デバイスの位置合わせ用の印刷が形成されていることを特徴とする請求項１に記載の表示装置。
【請求項３】
上記デバイスは、カメラモジュールであることを特徴とする請求項１または２に記載の表示装置。
【請求項４】
上記表示素子は液晶表示素子であるとともに、
上記固定部材は、上記表示素子におけるバックライトに設けられていることを特徴とする請求項１から３のいずれか１項に記載の表示装置。
【請求項５】
少なくとも１つの表示装置を備える電子機器であって、
上記表示装置は、
光を透過するスクリーンに対向し、上記スクリーンを透過した外部からの光を透過する開口部が少なくとも１つ形成された表示素子を含み、
上記電子機器に対して情報の入出力を行うデバイスが上記開口部を透過した光を受光できるよう、上記表示素子に取り付けられた固定部材を介して、上記デバイスが上記表示素子に固定されていることを特徴とする電子機器。
【発明の詳細な説明】
【技術分野】
【０００１】
本発明は表示装置および電子機器に関する。
【背景技術】
【０００２】
携帯電話等では、通話相手の顔を見ながらの通話実施等のため、表示画面と筐体との間にカメラモジュール等のデバイスが取付けられる。そこで、表示画面には、デバイスが設置された位置に光を透過させるための開口が形成される。
【０００３】
特許文献１では、有機ＥＬ（Electro Luminescence）ディスプレイ等の表示画面の裏面側にセンサを取付け、表示画面の表面側から見た時にセンサを目立たなくするための手段が開示されている。
【先行技術文献】
【特許文献】
【０００４】
【特許文献１】特開２０１２−７０３５６号公報
【発明の概要】
【発明が解決しようとする課題】
【０００５】
しかしながら、上述のような従来技術では、表示画面に形成された開口と、基板等に取付けられたデバイスと、を取付ける際に開口とデバイスとの位置にずれが生じる。ずれが発生する要因としては以下に示す要因がある。（ｉ）基板等へデバイスを取付ける際にずれが発生する。そして、（ｉｉ）基板等と表示画面とを取付ける際にずれが発生する。
【０００６】
そこで、基板等と表示画面とを取付ける際にデバイスと開口との位置に対して発生するずれを考慮し、開口は大きく形成される。そのため、開口が目立ち、表示画面のデザイン性が低下する虞がある。
【０００７】
本発明の一態様は、表示画面に形成する開口を小さくすることにより、表示画面のデザイン性を向上させることを目的とする。
【課題を解決するための手段】
【０００８】
上記の課題を解決するために、本発明の一態様に係る表示装置は、電子機器に備えられた表示装置であって、光を透過するスクリーンに対向し、上記スクリーンを透過した外部からの光を透過する開口部が少なくとも１つ形成された表示素子を含み、上記電子機器に対して情報の入出力を行うデバイスが上記開口部を透過した光を受光できるよう、上記表示素子に取り付けられた固定部材を介して、上記デバイスが上記表示素子に固定されている、構成である。
【０００９】
上記の課題を解決するために、本発明の一態様に係る電子機器は、少なくとも１つの表示装置を備える電子機器であって、上記表示装置は、光を透過するスクリーンに対向し、上記スクリーンを透過した外部からの光を透過する開口部が少なくとも１つ形成された表示素子を含み、上記電子機器に対して情報の入出力を行うデバイスが上記開口部を透過した光を受光できるよう、上記表示素子に取り付けられた固定部材を介して、上記デバイスが上記表示素子に固定されている、構成である。
【発明の効果】
【００１０】
本発明の一態様によれば、表示画面に形成する開口を小さくすることにより、表示画面のデザイン性を向上させることのできる表示装置等を実現することができる。
【図面の簡単な説明】
【００１１】
【図１】本発明の実施形態１に係る表示装置の模式図である。
【図２】（ａ）は、ホルダの外観の一例を示す模式図であり、（ｂ）は、ホルダの外観を変更した一例を示す模式図である。
【図３】（ａ）は、本発明の実施形態１に係る電子機器へデバイスを取り付けた際の斜視図を示し、（ｂ）は、本発明の実施形態１に係る電子機器へデバイスを取り付けた際の側面図を示す。
【図４】（ａ）は、本発明の実施形態１に係る表示装置を表示素子のスクリーンに対向する面から示した模式図を示し、図４の（ｂ）は図４の（ａ）からデバイスを透明化した状態を示す模式図を示す。
【図５】本発明の実施形態２に係る表示装置の模式図である。
【図６】本発明の実施形態３に係る表示装置の模式図である。
【発明を実施するための形態】
【００１２】
〔実施形態１〕
以下、本発明の一実施形態について、図１〜４を用いて詳細に説明する。
【００１３】
（表示装置の概要）
本発明の実施形態１に係る表示装置１の概要について、図１を用いて説明する。図１は、表示装置１の模式図である。
【００１４】
表示装置１は、スクリーン１０、表示素子２０ａ、固定部材３０、およびデバイス４０を含む。
【００１５】
スクリーン１０は、ガラスまたは樹脂等光を透過する素材で構成され、表示装置１の最外面を形成する。
【００１６】
表示素子２０ａは、液晶表示素子であり、スクリーン１０に対向して接触するように設置される。本実施形態１に係る表示装置１では、表示素子２０ａとして液晶表示素子を用いた。
【００１７】
表示素子２０ａは、少なくとも液晶パネル２１およびバックライト２３を含む。表示素子２０ａは、液晶パネル２１およびバックライト２３以外にも、図１に示すようにタッチパネル２４、ＯＣＡ（optical clear adhesive）テープ２５および偏光板２６等、液晶表示素子を形成する部材を含んでもよい。
【００１８】
また、表示素子２０ａには、開口部７０が少なくとも１つ形成される。開口部７０は、スクリーン１０および後述するデバイス４０へ光を伝達する経路として形成される。そのため、後述するデバイス４０がスクリーン１０を透過した光を受光できれば、開口部７０として表示素子２０ａを貫通する穴が形成されていてもよく、表示素子２０ａの一部で開口部７０が覆われていてもよい。なお、本実施形態１に係る表示装置１では、開口部７０は、液晶パネル２１により一部覆われている。
【００１９】
開口部７０は、デバイス４０と表示素子２０ａとの位置合わせに用いる印刷（位置合わせ用印刷）２２ａが形成されてもよい。印刷２２ａの形状および色は、デバイス４０と表示素子２０ａとの位置合わせができれば制限はない。なお、本実施形態１に係る表示装置１では、印刷２２ａを液晶パネル２１に設けた。しかし、印刷２２ａは、表示素子２０ａまたはスクリーン１０等に自由に設けることができる。
【００２０】
固定部材３０は、固定部材３０を介してデバイス４０を表示素子２０ａに固定する部材である。なお、本実施形態１に係る表示装置１では、固定部材３０としてホルダを用いたが、粘着性を備えたシート等を用いることもできる。また、固定部材３０を単独で用いることもでき、固定部材３０を複数組み合わせて用いることもできる。
【００２１】
固定部材３０の一例を図２の（ａ）および図２の（ｂ）に示す。図２の（ａ）では、固定部材３０の中央に円形の開口が形成されており、開口面側から見た外観の形状は、略矩形形状をしている。また、図２の（ｂ）では、固定部材３０の中央に円形の開口が形成されており、開口面側から見た外観の形状は、円形形状をしている。固定部材３０の中央に形成される開口の形状は、円形に限定されず、楕円形、または矩形等、デバイス４０の形状等に併せて変更することができる。また、固定部材３０の外観の形状は特に限定されず、自由に形状を変更することができる。
【００２２】
デバイス４０は、外部から照射され、スクリーン１０、および開口部７０を透過した光を受光できる様に固定部材３０を介して表示素子２０ａに固定される。または、デバイス４０は、開口部７０、およびスクリーン１０を透過し、外部に発光できる様に固定部材３０を介して表示素子２０ａに固定される。デバイス４０を表示素子２０ａに固定することにより、開口部７０に対するデバイス４０の取付け位置を略一定にすることができる。そして、例えば、デバイス４０を表示素子２０ａに固定した後、表示素子２０ａを表示装置１へ取付ける場合を想起したとする。デバイス４０は表示素子２０ａに固定されているため、デバイス４０との取付け位置にずれは生じない。その結果、開口部７０と表示素子２０ａとの位置関係を略一定に保てるため、開口部７０は、取付け位置のずれを考慮した大きさに設定しなくてもよい。それにより、開口部７０を小さくすることができ、開口部７０が目立たなくなる。また、開口部７０を小さくすることにより表示画面のデザイン性を向上させることができる。
【００２３】
また、表示素子２０ａへデバイス４０を固定するには、貼り付け装置を用いることもできる。貼り付け装置を用いた表示素子２０ａへデバイス４０を貼り付ける一例として、固定部材３０の中央に形成される円形の開口の外周と、環状に形成された位置合わせ用の印刷２２ａの内円と、を重なって見えるように固定する。上述のようにデバイス４０と開口部７０とを貼り付けることにより、表示素子２０ａにおけるデバイス４０を取付ける位置を略一定にすることができる。そのため、取付け装置を用いることにより、表示素子２０ａにおけるデバイス４０取付け位置のずれを抑制できる。
【００２４】
（カメラモジュールの取付け例）
デバイス４０としてカメラモジュールを用いた場合における取付けの一例を図３の（ａ）、図３の（ｂ）、図４の（ａ）、および図４の（ｂ）に示す。図３の（ａ）は、本発明の実施形態１に係る電子機器１００へデバイス４０を取り付けた際の電子機器１００の斜視図を示す。また、図３の（ｂ）は、本発明の実施形態１に係る電子機器１００へデバイス４０を取り付けた際の電子機器１００の側面図を示す。図４の（ａ）は、本発明の実施形態１に係る表示装置１を表示素子２０ａのスクリーン１０に対向する面から示した模式図を示し、図４の（ｂ）は図４の（ａ）からデバイス４０を透明化した状態を示す模式図を示す。なお、デバイス４０としてカメラモジュールを用いた。
【００２５】
デバイス４０は、メイン基板５０に形成された切り欠きにおいて、デバイス４０のレンズがバックライト２３の方向を向くように固定部材３０により固定される。なお、図４の（ａ）および図４の（ｂ）では、切り欠きの形状を略矩形で示したが、切り欠きの形状に特に制限はない。
【００２６】
図３の（ａ）および図３の（ｂ）に示すように固定部材３０を介してデバイス４０は、バックライト２３に固定される。そして、デバイス４０は、デバイス４０と筐体６０とに挟まれた位置に配置される。この時、デバイス４０は筐体６０と接触していてもよく、接触しなくてもよい。図３の（ａ）および図３の（ｂ）では、デバイス４０が筐体６０と接触している状態を示す。しかし、デバイス４０は固定部材３０を介してバックライト２３に固定されているため、デバイス４０が筐体６０に接触した場合でも、デバイス４０を開口部７０に固定した位置に変化はない。
【００２７】
また、図４の（ａ）に示すようにデバイス４０は、カメラフレキ５１を介してメイン基板５０に接続される。なお、印刷２２は、図４の（ｂ）に示すように、固定部材３０の開口部７０に液晶パネル２１にドーナツ状に形成されてもよく、取付け位置のみを示すように点等で形成されてもよい。
【００２８】
また、本実施形態に係る表示装置１を備える電子機器１００としては、以下に例示するスマートフォンの他、折り畳み式携帯電話機、ウェアラブル端末、小型ゲーム機、あるいはタブレット端末等を例示することができる。換言すれば、本発明の適用対象となる電子機器１００は、表示画面を介して撮像するカメラモジュール等のデバイス４０を設置した表示装置１を備えれば制限はない。また、表示素子２０ａとして液晶表示素子の他に、有機ＥＬ表示素子、および有機発光ダイオード表示素子等を電子機器１００に用いることができる。また、デバイス４０は、電子機器１００に情報の入出力を行う装置であれば制限はなく、カメラモジュールの他に近接センサ、およびＬＥＤ（Light Emitting Diode）ライト等の発光デバイスを挙げる事ができる。そして、電子機器１００は、複数の異なる種類のデバイス４０を備えてもよい。
【００２９】
〔実施形態２〕
本発明の他の実施形態について、以下に説明する。なお、説明の便宜上、上記実施形態にて説明した部材と同じ機能を含む部材については、同じ符号を付記し、その説明を繰り返さない。
【００３０】
本発明の実施形態２に係る表示装置２を図５に示す。本実施形態に係る表示装置２は、表示素子２０ｂとして有機ＥＬ表示素子を用いる点で前記実施形態１の表示装置１と異なる。そのため、本実施形態に係る表示装置２は、図５に示すように、表示素子２０ｂとしてＯＣＡテープ２５、透明ディスプレイデバイス２７、および開口部７０を備え、デバイス４１を印刷２２ｂに固定している。なお、印刷２２ｂは、透明ディスプレイデバイス２７に形成している。上述した構成以外の構成については、実施形態１の表示装置１と同様である。なお、表示素子２０ｂは、前記実施形態１の表示装置１の表示素子２０ａと同様にＯＣＡテープ２５、および透明ディスプレイデバイス２７以外にもタッチパネル２４および偏光板２６等を備えてもよい。
【００３１】
〔実施形態３〕
本発明の他の実施形態について、以下に説明する。なお、説明の便宜上、上記実施形態にて説明した部材と同じ機能を含む部材については、同じ符号を付記し、その説明を繰り返さない。
【００３２】
本発明の実施形態３に係る表示装置３を図６に示す。本実施形態に係る表示装置３は、表示素子２０ｃとして有機発光ダイオード表示素子を用いる点で前記実施形態１の表示装置１と異なる。そのため、本実施形態に係る表示装置３は、図６に示すように、表示素子２０ｃとしてタッチパネル２４、ＯＣＡテープ２５、有機発光ダイオードパネル２８および保護シート２９を備え、デバイス４２をＯＣＡテープ２５に固定している。なお、印刷２２ｃは、ＯＣＡテープ２５に形成している。上述した構成以外の構成については、実施形態１の表示装置１と同様である。
【００３３】
なお、表示素子２０ｃは、前記実施形態１の表示装置１の表示素子２０ａと同様にＯＣＡテープ２５、および透明ディスプレイデバイス２７以外にもタッチパネル２４および偏光板２６等を備えてもよい。
【００３４】
〔まとめ〕
本発明の態様１に係る表示装置は、電子機器に備えられた表示装置であって、光を透過するスクリーンに対向し、上記スクリーンを透過した外部からの光を透過する開口部が少なくとも１つ形成された表示素子を含み、上記電子機器に対して情報の入出力を行うデバイスが上記開口部を透過した光を受光できるよう、上記表示素子に取り付けられた固定部材を介して、上記デバイスが上記表示素子に固定されている、構成である。
【００３５】
上記構成によれば、デバイスは、表示素子に取付けられた固定部材を介して表示素子に固定されているので、従来のように、デバイスを、表示素子とは別体の基板等に取り付けた場合に比べて、デバイスの開口部への取り付け時の誤差は小さい。つまり、デバイスを表示素子と別体の基板等に取り付けた場合、デバイスと基板との位置合わせ、および基板に取り付けたデバイスと開口部との位置合わせを合計で２回行う必要がある。このため、デバイスを開口部に取り付ける際の誤差が大きくなる恐れがある。これに対して、上記の構成のように、固定部材を介して開口部にデバイスを取り付けた場合には、デバイスと開口部とを直接位置合わせしているので、１回の位置合わせで済み、デバイスの開口部への取り付け時の誤差が小さくなる。
【００３６】
このように、デバイスの開口部への取り付け時の誤差が小さくて済めば、スクリーンを透過した外部からの光をデバイスに照射させるための当該スクリーンにおける開口（印刷抜け穴）を小さくでき、その結果、表示画面のデザイン性を向上させることができる。
【００３７】
本発明の態様２に係る表示装置は、上記態様１において、上記表示装置に、上記デバイスの位置合わせ用の印刷が形成されている、構成としてもよい。上記構成によれば、表示装置にデバイスと位置合わせをする、位置合わせ用の印刷が形成されている。それにより、デバイスをデバイスの位置合わせ用の印刷に対して直接位置合わせできるため、デバイスの表示装置への取り付け時の誤差をさらに小さくすることができる。その結果、さらに表示画面のデザイン性を向上させることができる。
【００３８】
本発明の態様３に係る表示装置は、上記様態１または２において、上記デバイスは、カメラモジュールである、構成としてもよい。上記構成によれば、カメラモジュールを表示素子に貼り付けることにより、カメラのレンズと開口部との位置合わせを容易に行うことができる。その結果、開口の大きさをカメラレンズの画角の大きさに合わせて小さくすることができる。そして開口が目立たなくなり、さらに表示画面のデザイン性を向上させることができる。
【００３９】
本発明の態様４に係る表示装置は、上記様態１から３のいずれかにおいて、上記表示素子は液晶表示素子であるとともに、上記固定部材は、上記表示素子におけるバックライトに設けられている、構成としてもよい。上記構成によれば、表示素子として液晶表示素子を用い、上記固定部材をバックライトに設けることができる。その結果、液晶表示素子に形成された開口を目立たなくさせることができ、さらに表示画面のデザイン性を向上させることができる。
【００４０】
本発明の態様５に係る電子機器は、少なくとも１つの表示装置を備える電子機器であって、上記表示装置は、光を透過するスクリーンに対向し、上記スクリーンを透過した外部からの光を透過する開口部が少なくとも１つ形成された表示素子を含み、上記電子機器に対して情報の入出力を行うデバイスが上記開口部を透過した光を受光できるよう、上記表示素子に取り付けられた固定部材を介して、上記デバイスが上記表示素子に固定されている、構成である。上記の構成によれば、上記様態１と同様の作用効果を奏する。
【００４１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００４２】
１、２、３                表示装置
１０                      スクリーン
２０ａ、２０ｂ、２０ｃ    表示素子（液晶表示素子、有機ＥＬ表示素子、有機発光ダイオード表示素子）
２１                      液晶パネル
２２ａ、２２ｂ、２２ｃ    印刷
２３                      バックライト
２４                      タッチパネル
２５                      ＯＣＡテープ
２６                      偏光板
２７                      透明ディスプレイデバイス
２８                      有機発光ダイオードパネル
２９                      保護シート
３０                      固定部材
４０、４１、４２          デバイス
５０                      メイン基板
５１                      カメラフレキ
６０                      筐体
７０                      開口部
１００                      電子機器
【図１】
2020025191.tif 000003
【図２】
2020025191.tif 000004
【図３】
2020025191.tif 000005
【図４】
2020025191.tif 000006
【図５】
2020025191.tif 000007
【図６】
2020025191.tif 000008